(57)【要約】【課題】ガス絶縁開閉装置の奥行き寸法を縮小化した装置を得る。【解決手段】上段ガス区画室２３と中段ガス区画室２４と下段ガス区画室２５を収納する接地電位の筐体２２、上段ガス区画室の前記第１真空遮断器３４に接続され、上段ガス区画室の裏面部に設けられた上段ケーブルブッシング３５、下段ガス区画室の前記第２真空遮断器３８に接続され、下段ガス区画室の裏面部に設けられた上段ケーブルブッシングと同じ大きさの下段ケーブルブッシング３９、上段ケーブルブッシングに接続され、筐体内でガス区画室外の一方の側部側に沿わせて配線した第１ケーブル４３、及び、下段ケーブルブッシングに接続され、筐体内で前記ガス区画室外の他方の側部側に沿わせて配線した第２ケーブル４４を備えた。【選択図】図１
2008278593.tif 000002
【特許請求の範囲】
【請求項１】
絶縁性ガスを封入し内部に断路器と共に母線を収納した中段ガス区画室、
絶縁性ガスを封入し前記中段ガス区画室と区画されブッシングを介して前記母線と接続される第１真空遮断器を収納した上段ガス区画室、
絶縁性ガスを封入し前記中段ガス区画室と区画されブッシングを介して前記母線と接続される第２真空遮断器を収納した下段ガス区画室、
前記上段ガス区画室と前記中段ガス区画室と前記下段ガス区画室を収納する接地電位の筐体、前記上段ガス区画室の前記第１真空遮断器に接続され、前記上段ガス区画室の裏面部に設けられた上段ケーブルブッシング、
前記下段ガス区画室の前記第２真空遮断器の接続され、前記下段ガス区画室の裏面部に設けられる前記上段ケーブルブッシングと同じ大きさの下段ケーブルブッシング、
前記上段ケーブルブッシングに接続され、前記筐体内で前記ガス区画室外の一方の側部側に沿わせて配線した第１ケーブル、及び、
前記下段ケーブルブッシングに接続され、前記筐体内で前記ガス区画室外の他方の側部側に沿わせて配線した第２ケーブル
を備えたガス絶縁開閉装置。
【請求項２】
前記上段ガス区画室の前記上段ケーブルブッシングの取り付け位置に前記上段ガス区画室内側に窪んだ凹部を設け、この凹部に計器用変流器を取り付けた前記上段ケーブルブッシングを取り付けると共に、
前記下段ガス区画室の前記下段ケーブルブッシングの取り付け位置に前記下段ガス区画室内側に窪んだ凹部を設け、この凹部に計器用変流器を取り付けた前記下段ケーブルブッシングを取り付けるようにした請求項１記載のガス絶縁開閉装置。
【請求項３】
前記上段ガス区画室の前記上段ケーブルブッシングの取り付け位置に開口を設け、前記上段ケーブルブッシングと計器用変流器を固定したフレームを前記開口に取り付け、前記フレームで前記開口をシールすると共に、
前記下段ガス区画室の前記下段ケーブルブッシングの取り付け位置に開口を設け、前記下段ケーブルブッシングと計器用変流器を固定したフレームを前記開口に取り付け、前記フレームで前記開口をシールするようにした請求項１記載のガス絶縁開閉装置。
【請求項４】
前記フレームは前記ガス区画室内側に窪んでいる請求項３記載のガス絶縁開閉装置。
【発明の詳細な説明】
【技術分野】
【０００１】
この発明は、電力の送配電および受電設備に用いられるガス絶縁開閉装置に関するものである。
【背景技術】
【０００２】
図５は従来の例えば特許文献１に記載されたガス絶縁開閉装置１の構成を示す側面断面図である。母線タンク２、受電ユニットタンク３、及び変圧器ユニットタンク４は、ガス区分をする絶縁スペーサ６で仕切られ、縦方向に積み上げられ、端子を通して相互が電気的に接続されている。中央の母線タンク２には母線ＢＵＳと共に断路器ＤＳが２台搭載されている。母線タンク２の上方の変圧器ユニットタンク４には、遮断器ＣＢと２台の接地開閉器ＥＳが搭載され、遮断器ＣＢから後面の変圧器接続容器１６の端子に接続されている。
【０００３】
母線タンク２の下方の受電ユニットタンク３には、遮断器ＣＢ,２台の接地開閉器ＥＳ,断路器ＤＳ,接地開閉器ＥＳ及び避雷器ＬＡが搭載されている。その遮断器ＣＢから断路器ＤＳを介して後面のケーブル引き込み部１５に接続される。ケーブル引き込み部１５には、ケーブルのケーブルヘッドＣＨＤが接続されている。ケーブルには変流器ＣＴが設けられている。ガス絶縁開閉装置１の前面には、操作盤１３が配置されている。
【０００４】
上段で後面の変圧器接続容器１６には、アダプタが固定されており、そのアダプタに変圧器に接続されるケーブルを接続することにより、下段のケーブルと干渉しない構造となっている。
【０００５】
【特許文献１】特開２００４−２１５３９２号公報（図６）
【発明の開示】
【発明が解決しようとする課題】
【０００６】
従来のガス絶縁開閉装置は、上段の変圧器ユニットタンク４及び下段の受電ユニットタンク３に、それぞれケーブルが接続される場合、上段のケーブルが下段のケーブルに干渉しないよう上段のケーブル接続部（変圧器接続容器１６）にはアダプタを固定している。したがって、上段のケーブル接続部にアダプタが接続された分、ガス絶縁開閉装置の奥行き方向（前後方向）の寸法が大きくなるという問題点があった。
この発明は、上記のような問題点を解消するためになされたもので、ガス絶縁開閉装置の奥行き寸法を縮小化した装置を得ることを目的とする。
【課題を解決するための手段】
【０００７】
この発明に係わるガス絶縁開閉装置は、絶縁性ガスを封入し内部に断路器と共に母線を収納した中段ガス区画室、絶縁性ガスを封入し前記中段ガス区画室と区画されブッシングを介して前記母線と接続される第１真空遮断器を収納した上段ガス区画室、絶縁性ガスを封入し前記中段ガス区画室と区画されブッシングを介して前記母線と接続される第２真空遮断器を収納した下段ガス区画室、前記上段ガス区画室と前記中段ガス区画室と前記下段ガス区画室を収納する接地電位の筐体、前記上段ガス区画室の前記第１真空遮断器に接続され、前記上段ガス区画室の裏面部に設けられた上段ケーブルブッシング、前記下段ガス区画室の前記第２真空遮断器に接続され、前記下段ガス区画室の裏面部に設けられた前記上段ケーブルブッシングと同じ大きさの下段ケーブルブッシング、前記上段ケーブルブッシングに接続され、前記筐体内で前記ガス区画室外の一方の側部側に沿わせて配線した第１ケーブル、及び、前記下段ケーブルブッシングに接続され、前記筐体内で前記ガス区画室外の他方の側部側に沿わせて配線した第２ケーブルを備えたものである。
【発明の効果】
【０００８】
この発明のガス絶縁開閉装置によれば、上段ガス区画室の裏面部に設けられた上段ケーブルブッシングと、下段ガス区画室の裏面部に設けられる下段ケーブルブッシングとを同じ大きさにし、上段ケーブルブッシングに接続される第１ケーブルを筐体内でガス区画室外の一方の側部側に沿わせて配線し、下段ケーブルブッシングに接続される第２ケーブルを筐体内でガス区画室外の他方の側部側に沿わせて配線したので、第１ケーブルが第２ケーブルと干渉することを防ぎ、ガス絶縁開閉装置の奥行き寸法を縮小化することができる。
【発明を実施するための最良の形態】
【０００９】
実施の形態１．
図１はこの発明の実施の形態１であるガス絶縁開閉装置を示す図で、その（ａ）は側面断面図、その（ｂ）は筐体の裏板を取り除いたときの様子を示す裏面図である。ガス絶縁開閉装置２１は、接地電位の筐体２２内にＳＦ６，乾燥空気，窒素，二酸化炭素などの絶縁性ガスを封入したガス区画室を有している。ガス区画室は上下方向に上段ガス区画室２３、中段ガス区画室２４、下段ガス区画室２５を有し、それらは、絶縁スペーサ２６，２７で区画されている。中段ガス区画室２４には、絶縁性ガスが封入され、母線２８と共に断路器／接地開閉器２９，３０が収納されている。母線２８の両端には、断路器／接地開閉器２９，３０が接続され、図では、両断路器／接地開閉器２９，３０とも中立状態を示し、枢軸３１を中心にバーを紙面に向かって右側に回動すると断路器が閉じ、左側に回動すると接地開閉器ＥＳが閉じる。３２は両断路器／接地開閉器２９，３０の操作機である。
【００１０】
上段ガス区画室２３には、絶縁性ガスが封入され、絶縁スペーサ２６に設けたブッシング３３を介して、母線２８と接続される第１真空開閉器３４が収納される。上段ガス区画室２３の裏面部には、第１真空開閉器３４と接続される上段ケーブルブッシング３５が設けられている。３６は上段ケーブルブッシング３５を囲んで設けた計器用変流器である。
４１は第１真空開閉器３４の操作機である。
【００１１】
下段ガス区画室２５には、絶縁性ガスが封入され、絶縁スペーサ２７に設けたブッシング３７を介して、母線２８と接続される第２真空開閉器３８が収納される。下段ガス区画室２５の裏面部には、第２真空開閉器３８と接続される下段ケーブルブッシング３９が設けられている。下段ケーブルブッシング３９は上段ケーブルブッシング３５と同一サイズで同規格のものである。４０は下段ケーブルブッシング３９を囲んで設けた計器用変流器である。４２は第２真空開閉器３８の操作機である。
【００１２】
４３は上段ケーブルブッシング３５に接続された第１ケーブルで、裏面図（ｂ）に示すように、筐体２２内で上中下段ガス区分室２３，２４，２５外の裏面４５と筐体２２の裏板４６との空間に筐体２２内の一方の側部側に沿わせて配線され保持されている。４７は筐体２２の裏板４６に固定したフレーム４８に取付けた第１ケーブル４３の保持金具である。第１ケーブル４３は筐体２２内で上中下段ガス区分室２３，２４，２５外の上中下段ガス区分室２３，２４，２５の側面の一方に沿わせて配線され保持されていてもよい。第１ケーブル４３は筐体２２の底部から外部に出て変圧器（図示せず）又は負荷に接続される。
【００１３】
４４は下段ケーブルブッシング３９に接続された第２ケーブルで、裏面図（ｂ）に示すように、筐体２２内で上中下段ガス区分室２３，２４，２５外の裏面４５と筐体２２の裏板４６との空間に筐体２２内の他方の側部側に沿わせて配線され保持されている。４９は筐体２２の裏板４６に固定したフレーム５０に取付けた第２ケーブル４４の保持金具である。５５は零相変流器である。第２ケーブル４４は筐体２２内で上中下段ガス区分室２３，２４，２５外の上中下段ガス区分室２３，２４，２５の側面の他方に沿わせて配線され保持されていてもよい。第２ケーブル４４は筐体２２の底部から外部に出て負荷に接続される。図１（ａ）では、第１ケーブル４３と第２ケーブル４４は一部破線で示し、ケーブルブッシングの先端を示すようにしている。図１（ｂ）では、第１ケーブル４３と第２ケーブル４４とケーブルブッシングとの接続を省略して示している。
【００１４】
このように、上段ガス区分室２３の裏面部に設けた上段ケーブルブッシング３５と下段ガス区分室２５の裏面部に設けた下段ケーブルブッシング３９を同じ規格で長さも同じにすることで、部品の共用化が図られる。筐体２２内で第１ケーブル４３を上中下段ガス区分室２３，２４，２５外の一方の側部側に沿わせて配線され保持させ、筐体２２内で第２ケーブル４４を上中下段ガス区分室２３，２４，２５外の他方の側部側に沿わせて配線され保持させているので、第１ケーブル４３が第２ケーブル４４に干渉することを防止でき、ガス絶縁開閉装置の奥行き寸法を縮小化することができる。
【００１５】
実施の形態２．
図２は実施の形態２であるガス絶縁開閉装置を示す側面断面図である。なお、各図中同一符号は同一又は相当部分を示す。実施の形態２において、実施の形態１に対して異なる部分を主に説明する。上段ガス区画室２３の上段ケーブルブッシング３５の取り付け位置に上段ガス区画室２３内側に窪んだ凹部５１を設け、この凹部５１に計器用変流器３６を取り付けた上段ケーブルブッシング３５を取り付ける。同様に、下段ガス区画室２５の下段ケーブルブッシング３９の取り付け位置に下段ガス区画室２５内側に窪んだ凹部５２を設け、この凹部５２に計器用変流器４０を取り付けた下段ケーブルブッシング３９を取り付ける。
【００１６】
このように、ガス区画室内側に窪んだ凹部５１，５２を設け、この凹部５１，５２に計器用変流器を取り付けたケーブルブッシング３５，３９を取り付けることにより、計器用変流器を取り付けたケーブルブッシング３５，３９の固定位置が正面側に寄り、ケーブル４３，４４の接続位置も正面側に寄せることが可能となる。これにより、ガス絶縁開閉装置の奥行き寸法をさらに縮小化することができる。
【００１７】
実施の形態３．
図３は実施の形態３であるガス絶縁開閉装置を示す側面断面図である。実施の形態３において、実施の形態１に対して異なる部分を主に説明する。上段ガス区画室２３の裏面部の上段ケーブルブッシング３５の取り付け位置に開口６１を設け、上段ケーブルブッシング３５と計器用変流器３６をフレーム６２に固定し、上段ケーブルブッシング３５と計器用変流器３６を固定したフレーム６２を開口６１に取り付け、開口６１の周囲をフレーム６２に設けたシール部でシールする。そして、フレーム６２は上段ガス区画室２３内側に窪んでいる。
【００１８】
図４は実施の形態３による上段ケーブルブッシング３５の取り付け位置の拡大断面図である。上段ケーブルブッシング３５と計器用変流器３６を固定したフレーム６２は、開口６１の周縁部に溶接されたスタッド６５にフレーム６２の対応箇所に設けた孔を嵌め込んで、ナット６６で固定されている。６７はガイド板であり、６８はパッキンで開口６１の周縁部とフレーム６２の周縁部間をシールする。
【００１９】
同様に、下段ガス区画室２５の裏面部の下段ケーブルブッシング３９の取り付け位置に開口６３を設け、下段ケーブルブッシング３９と計器用変流器４０をフレーム６４に固定し、下段ケーブルブッシング３９と計器用変流器４０を固定したフレーム６４を開口６３に取り付け、開口６３の周囲をフレーム６４に設けたシール部でシールする。そして、フレーム６４は下段ガス区画室２５内側に窪んでいる。
【００２０】
このように構成することにより、実施の形態２と同様にガス絶縁開閉装置の奥行き寸法を縮小化することができると共に、ケーブルブッシングと計器用変流器を先にフレームに固定することができ、組立性を改善することができる。
【図面の簡単な説明】
【００２１】
【図１】この発明の実施の形態１であるガス絶縁開閉装置を示す図で、（ａ）は側面断面図、（ｂ）は筐体の裏板を取り除いたときの様子を示す裏面図をある。
【図２】実施の形態２であるガス絶縁開閉装置を示す側面断面図である。
【図３】実施の形態３であるガス絶縁開閉装置を示す側面断面図である。
【図４】実施の形態３による上段ケーブルブッシングの取り付け位置の拡大断面図である。
【図５】従来のガス絶縁開閉装置の構成を示す側面断面図である。
【符号の説明】
【００２２】
２１  ガス絶縁開閉装置                  ２２  筐体
２３  上段ガス区画室                    ２４  中段ガス区画室
２５  下段ガス区画室                    ２６  絶縁スペーサ
２７  絶縁スペーサ                      ２８  母線
２９  断路器／接地開閉器                ３０  断路器／接地開閉器
３１  枢軸                              ３２  操作機
３３  ブッシング                        ３４  第１真空開閉器
３５  上段ケーブルブッシング            ３６  計器用変流器
【００２３】
３７  ブッシング                        ３８  第２真空開閉器
３９  下段ケーブルブッシング            ４０  計器用変流器
４１  操作機                            ４２  操作機
４３  第１ケーブル                      ４４  第２ケーブル
５１  凹部                              ５２  凹部
６１  開口                              ６２  フレーム
６３  開口                              ６４  フレーム
６５  スタッド                          ６６  ナット
６７  ガイド板                          ６８  パッキン
【図１】
2008278593.tif 000003
【図２】
2008278593.tif 000004
【図３】
2008278593.tif 000005
【図４】
2008278593.tif 000006
【図５】
2008278593.tif 000007